(57)【要約】      （修正有）【課題】一般的な握力計において、手の握力を測定する機能を残しつつ足の指の握力も測定することができるようにするための装置を提供する。【解決手段】一般的なアナログ式の手の握力計、もしくはそのアナログ式の手の握力計と外形が類似したデジタル式の手の握力計にはめ込むことができ、手の握力を測定できると共に、さらにその上に片足を載せ一般的な握力計を用いて足の指の握力（グリップ力）をも測定・評価することができる構造を有する木製もしくは樹脂製の台座（アタッチメント）とを組み合わせることで、１台の装置で手の握力と足の指の握力を数値測定することができることを特徴とする装置であり、靴下を履いたままで測定可能な装置である。【選択図】図２
0003144141.tif 000002
【実用新案登録請求の範囲】
【請求項１】
市販のアナログ式の手の握力計、もしくはそのアナログ式の手の握力計と外形が類似した市販のデジタル式の手の握力計と、
これらの市販の握力計をはめ込むことができ、その本来の用途である手の握力を測定できる機能を残しつつ、これらの握力計と組合わせることを目的とした図５・図６・図７の特徴を有する概ね長さ３６０ミリ、幅２００ミリ、厚さ３０ミリの大きさの木製もしくは樹脂製の台座（アタッチメント）と組合せることで、その上に片足を載せて市販の手の握力計を利用して足の指の握力（グリップ力）をも測定・評価することができ、
これにより１台の装置で手の握力と足の指の握力（グリップ力）を測定・評価することができることを特徴とする装置
【考案の詳細な説明】
【技術分野】
【０００１】本考案は、従来からある市販のアナログ式の手の握力計（図１）、もしくはそのアナログ式の手の握力計と外形が類似した市販のデジタル式の手の握力計に図５・図６・図７の特徴を有する木製もしくは樹脂製の台座（アタッチメント）を組み合わせることで本来の目的である手の握力計としての機能を残しつつ、従来数値として測定することができなかった足の指の握力（グリップ力）を数値として測定・評価することができる装置に関するものである。
【背景技術】
【０００２】従来からある足指の握力を測定する周知の先行技術として特許登録３７１６３８９号「足指間圧力測定器」があり、すでに「足指間圧力測定器  チェッカーくん」なる名称で商品化され販売されているが、この技術はその名称が示すとおり足の指の間の圧力を測定する装置であり、この装置は主に第１指と第２指の間の横方向の圧力を測定する装置であって、歩行あるいは走行に役立つ足指の握力（グリップ力）の測定を目的とする装置ではなく、さらに裸足でなければ足の指の間の圧力を測定できなかった。
また、従来からある市販の歩数計は、単に歩行数とその歩行数から算出される歩行距離もしくは歩行時の消費カロリーを表示できる装置であって、歩数計もまた歩行あるいは走行に役立つ足指の握力や筋力そのものを客観的に測定する装置ではなかった。
【考案が解決しようとする課題】
【０００３】先行技術として特許登録３７１６３８９号「足指間圧力測定器」は販売価格が約５万円と高価であり、使用説明書によれば裸足で測定する装置とされており、重さも約３，２ｋｇと重く、持ち歩くことが困難であり、さらに足の指の間の圧力を測定することが医療もしくは健康・運動機能上どのようなメリットがあるのか、その根拠も曖昧であった。
【課題を解決するための手段】
【０００４】本考案は、「請求項１」に記載のとおり、市販のアナログ式の手の握力計、もしくはそのアナログ式の手の握力計と外形が類似した市販のデジタル式の手の握力計と、これらの市販の握力計をはめ込むことができ、その本来の用途である手の握力を測定できる機能を残しつつ、さらにこれらの握力計と組合わせることを目的とした図５・図６・図７の特徴を有する概ね長さ３６０ミリ、幅２００ミリ、厚さ３０ミリの大きさの木製もしくは樹脂製の台座（アタッチメント）と組合せることで、その上に片足を載せて市販の手の握力計を利用して足の指の握力（グリップ力）をも測定・評価することができ、これにより１台の装置で手の握力と足の指の握力を測定・評価することができることを特徴とする装置であり、靴下を履いたままで測定可能な装置である。
また市販の握力計はどれもがほぼ同じ大きさと形状をしており、異なるメーカーの握力計でも取り付け可能な汎用台座（アタッチメント）を作製することはさほど難しいことではない。
さらに本考案は市販の握力計を流用しているため、木製もしくは樹脂製の台座（アタッチメント）と組合せることで安価で軽量かつ構造が単純で使用方法が図８・図９のとおり簡便・容易であり、従来困難であった手の握力と足の指の握力の対比も容易である。
【考案の効果】
【０００５】図５・図６・図７に示す木製もしくは樹脂製の台座（アタッチメント）に図１の市販の手の握力計をはめ込み、ネジ等で固定することで手の握力計と足の指の握力計が一体となり、手の握力と足の指の握力（グリップ力）を１台の装置で数値測定できるようになる。
これにより、手の握力と足の指の握力（グリップ力）の差異を比較・対比することができ、さらに足の指の握力（グリップ力）を測定することで被測定者は脚力の低下を客観的に認識でき、この装置によって転倒予防や介護予防に役立つ情報を被測定者に提供することができる。
なお、市販の握力計をすでに保有しているユーザーに対しては図５・図６・図７に示す木製もしくは樹脂製の台座（アタッチメント）のみを提供することで、手の握力と足の指の握力（グリップ力）を１台の装置で数値測定できるようになるため、すでに手の握力計を保有するユーザーにとって、この木製もしくは樹脂製の台座（アタッチメント）と組み合わせることで手の握力計の機能が拡大し、その利用価値が高まることになる。
【考案を実施するための最良の形態】
【０００６】市販のアナログ式の手の握力計（図１）もしくはそのアナログ式の手の握力計と外形が類似した市販のデジタル式の手の握力計を、図５・図６・図７に示す木製もしくは樹脂製の台座（アタッチメント）にネジもしくはビス等で確実に固定する。
【実施例】
【０００７】図２は市販のアナログ式の手の握力計（図１）を、図５・図６・図７に示す木製もしくは樹脂製の台座（アタッチメント）に取り付けた状態を示している。
手の握力を測定するとき、被測定者は左右どちからの手で図２の「２」と「３」を握り、指先にちからを込めて図８に示すように握力を測定する。【０００８】足の指の握力を測定するとき、被測定者は左右どちからの足を図２の木製もしくは樹脂製の台座（アタッチメント）に載せ、図２の「１」にかかとをあてがい、図２の「４」に足の指を引っかけ、図９に示すように足の指にちからを入れ足の握力を測定する。
【図面の簡単な説明】
【０００９】
【図１】市販のアナログ式の手の握力計を示した平面図である。
【図２】「請求項１」の特徴を有する木製もしくは樹脂製の台座（アタッチメント）に、市販のアナログ式の手の握力計をネジ等で固定した状態の平面図（上面）である。
【図３】「請求項１」の特徴を有する木製もしくは樹脂製の台座（アタッチメント）に、市販のアナログ式の手の握力計をネジ等で固定した状態の平面図（裏面）である。
【図４】「請求項１」の特徴を有する木製もしくは樹脂製の台座（アタッチメント）に、市販のアナログ式の手の握力計をネジ等で固定した状態の側面図である。
【図５】「請求項１」の特徴を有する木製もしくは樹脂製の台座（アタッチメント）の平面図（上面）である。
【図６】「請求項１」の特徴を有する木製もしくは樹脂製の台座（アタッチメント）の平面図（裏面）である。
【図７】「請求項１」の特徴を有する木製もしくは樹脂製の台座（アタッチメント）の側面図である。
【図８】「請求項１」の特徴を有する木製もしくは樹脂製の台座（アタッチメント）に、市販のアナログ式の手の握力計をネジ等で固定した装置を用いて、右手の握力を測定するときの使用方法のイラストである。
【図９】「請求項１」の特徴を有する木製もしくは樹脂製の台座（アタッチメント）に、市販のアナログ式の手の握力計をネジ等で固定した装置を用いて、右足の握力を測定するときの使用方法のイラストである。
【符号の説明】
【００１０】  １    木製もしくは樹脂製の台座（アタッチメント）に設けられた、かかと固定用のくぼみ
２    木製もしくは樹脂製の台座（アタッチメント）に設けられた手の握力を測定するための固定グリップ
３    市販のアナログ式の手の握力計の固定グリップ
４    市販のアナログ式の手の握力計の可動負荷グリップ
５    市販のアナログ式の手の握力計の可動負荷グリップの位置調整用ダイヤル
６    市販のアナログ式の手の握力計の可動負荷グリップと負荷装置を結ぶシャフト
７    市販のアナログ式の手の握力計の数値表示用の指針
８    市販のアナログ式の手の握力計の文字盤
９    市販のアナログ式の手の握力計と木製もしくは樹脂製の台座（アタッチメント）本体を固定するネジ類・ビス類
１０    市販のアナログ式の手の握力計の本体
１１    木製もしくは樹脂製の台座（アタッチメント）本体
【図１】
0003144141.tif 000003
【図２】
0003144141.tif 000004
【図３】
0003144141.tif 000005
【図４】
0003144141.tif 000006
【図５】
0003144141.tif 000007
【図６】
0003144141.tif 000008
【図７】
0003144141.tif 000009
【図８】
0003144141.tif 000010
【図９】
0003144141.tif 000011
【手続補正書】
【提出日】平成20年5月21日(2008.5.21)
【手続補正１】
【補正対象書類名】実用新案登録請求の範囲
【補正対象項目名】全文
【補正方法】変更
【補正の内容】
【実用新案登録請求の範囲】
【請求項１】
アナログ式の手の握力計、もしくはそのアナログ式の手の握力計と外形が類似したデジタル式の手の握力計と、
これらの握力計をはめ込むことができる木製もしくは樹脂製の台座（アタッチメント）を組み合わせるることで、手の握力計の本来の用途である手の握力を測定できる機能を残しつつ、台座（アタッチメント）の上に片足を載せ、その踵をこの台座の凹部にあてがいつつ足の指に力を込めることで、手の握力計を利用して足の指の握力（グリップ力）をも測定し評価することができ、さらに１台の装置で手の握力と足の指の握力（グリップ力）の二つの筋力を測定・評価することができることを特徴とする概ね長さ３６０ミリ、幅２００ミリ、厚さ３０ミリの大きさの装置
【手続補正２】
【補正対象書類名】明細書
【補正対象項目名】全文
【補正方法】変更
【補正の内容】
【考案の詳細な説明】
【技術分野】
【０００１】本考案は、従来からあるアナログ式の手の握力計（図１）、もしくはそのアナログ式の手の握力計と外形が類似したデジタル式の手の握力計に図５・図６・図７の特徴を有する木製もしくは樹脂製の台座（アタッチメント）を組み合わせることで本来の目的である手の握力計としての機能を残しつつ、従来数値として測定することができなかった足の指の握力（グリップ力）を数値として測定・評価することができる装置に関するものである。
【背景技術】
【０００２】従来からある足指の握力を測定する周知の先行技術として特許登録３７１６３８９号「足指間圧力測定器」があり、すでに「足指間圧力測定器  チェッカーくん」なる名称で商品化され販売されているが、この技術はその名称が示すとおり足の指の間の圧力を測定する装置であり、この装置は主に第１指と第２指の間の横方向の圧力を測定する装置であって、歩行あるいは走行に役立つ足指の握力（グリップ力）の測定を目的とする装置ではなく、さらに裸足でなければ足の指の間の圧力を測定できなかった。
また、従来からある歩数計は、単に歩行数とその歩行数から算出される歩行距離もしくは歩行時の消費カロリーを表示できる装置であって、歩数計もまた歩行あるいは走行に役立つ足指の握力や筋力そのものを客観的に測定する装置ではなかった。
【考案が解決しようとする課題】
【０００３】先行技術として特許登録３７１６３８９号「足指間圧力測定器」は販売価格が約５万円と高価であり、使用説明書によれば裸足で測定する装置とされており、重さも約３，２ｋｇと重く、持ち歩くことが困難であり、さらに足の指の間の圧力を測定することが医療もしくは健康・運動機能上どのようなメリットがあるのか、その根拠も曖昧であった。
【課題を解決するための手段】
【０００４】本考案は、「請求項１」に記載のとおり、アナログ式の手の握力計、もしくはそのアナログ式の手の握力計と外形が類似したデジタル式の手の握力計と、これらの握力計をはめ込むことができ、その本来の用途である手の握力を測定できる機能を残しつつ、さらにこれらの握力計と組合わせることを目的とした図５・図６・図７の特徴を有する概ね長さ３６０ミリ、幅２００ミリ、厚さ３０ミリの大きさの木製もしくは樹脂製の台座（アタッチメント）と組合せることで、その上に片足を載せて手の握力計を利用して足の指の握力（グリップ力）をも測定・評価することができ、これにより１台の装置で手の握力と足の指の握力を測定・評価することができることを特徴とする装置であり、靴下を履いたままで測定可能な装置である。
また握力計はどれもがほぼ同じ大きさと形状をしており、異なるメーカーの握力計でも取り付け可能な汎用台座（アタッチメント）を作製することはさほど難しいことではない。
さらに本考案は握力計を流用しているため、木製もしくは樹脂製の台座（アタッチメント）と組合せることで安価で軽量かつ構造が単純で使用方法が図８・図９のとおり簡便・容易であり、従来困難であった手の握力と足の指の握力の対比も容易である。
【考案の効果】
【０００５】図５・図６・図７に示す木製もしくは樹脂製の台座（アタッチメント）に図１の手の握力計をはめ込み、ネジ等で固定することで手の握力計と足の指の握力計が一体となり、手の握力と足の指の握力（グリップ力）を１台の装置で数値測定できるようになる。
これにより、手の握力と足の指の握力（グリップ力）の差異を比較・対比することができ、さらに足の指の握力（グリップ力）を測定することで被測定者は脚力の低下を客観的に認識でき、この装置によって転倒予防や介護予防に役立つ情報を被測定者に提供することができる。
なお、握力計をすでに保有しているユーザーに対しては図５・図６・図７に示す木製もしくは樹脂製の台座（アタッチメント）のみを提供することで、手の握力と足の指の握力（グリップ力）を１台の装置で数値測定できるようになるため、すでに手の握力計を保有するユーザーにとって、この木製もしくは樹脂製の台座（アタッチメント）と組み合わせることで手の握力計の機能が拡大し、その利用価値が高まることになる。
【考案を実施するための最良の形態】
【０００６】アナログ式の手の握力計（図１）もしくはそのアナログ式の手の握力計と外形が類似したデジタル式の手の握力計を、図５・図６・図７に示す木製もしくは樹脂製の台座（アタッチメント）にネジもしくはビス等で確実に固定する。
【実施例】
【０００７】図２はアナログ式の手の握力計（図１）を、図５・図６・図７に示す木製もしくは樹脂製の台座（アタッチメント）に取り付けた状態を示している。
手の握力を測定するとき、被測定者は左右どちからの手で図２の「２」と「３」を握り、指先にちからを込めて図８に示すように握力を測定する。【０００８】足の指の握力を測定するとき、被測定者は左右どちからの足を図２の木製もしくは樹脂製の台座（アタッチメント）に載せ、図２の「１」にかかとをあてがい、図２の「４」に足の指を引っかけ、図９に示すように足の指にちからを入れ足の握力を測定する。
【図面の簡単な説明】
【０００９】
【図１】アナログ式の手の握力計を示した平面図である。
【図２】「請求項１」の特徴を有する木製もしくは樹脂製の台座（アタッチメント）に、アナログ式の手の握力計をネジ等で固定した状態の平面図（上面）である。
【図３】「請求項１」の特徴を有する木製もしくは樹脂製の台座（アタッチメント）に、アナログ式の手の握力計をネジ等で固定した状態の平面図（裏面）である。
【図４】「請求項１」の特徴を有する木製もしくは樹脂製の台座（アタッチメント）に、アナログ式の手の握力計をネジ等で固定した状態の側面図である。
【図５】「請求項１」の特徴を有する木製もしくは樹脂製の台座（アタッチメント）の平面図（上面）である。
【図６】「請求項１」の特徴を有する木製もしくは樹脂製の台座（アタッチメント）の平面図（裏面）である。
【図７】「請求項１」の特徴を有する木製もしくは樹脂製の台座（アタッチメント）の側面図である。
【図８】「請求項１」の特徴を有する木製もしくは樹脂製の台座（アタッチメント）に、アナログ式の手の握力計をネジ等で固定した装置を用いて、右手の握力を測定するときの使用方法のイラストである。
【図９】「請求項１」の特徴を有する木製もしくは樹脂製の台座（アタッチメント）に、アナログ式の手の握力計をネジ等で固定した装置を用いて、右足の握力を測定するときの使用方法のイラストである。
【符号の説明】
【００１０】  １    木製もしくは樹脂製の台座（アタッチメント）に設けられた、かかと固定用のくぼみ
２    木製もしくは樹脂製の台座（アタッチメント）に設けられた手の握力を測定するための固定グリップ
３    アナログ式の手の握力計の固定グリップ
４    アナログ式の手の握力計の可動負荷グリップ
５    アナログ式の手の握力計の可動負荷グリップの位置調整用ダイヤル
６    アナログ式の手の握力計の可動負荷グリップと負荷装置を結ぶシャフト
７    アナログ式の手の握力計の数値表示用の指針
８    アナログ式の手の握力計の文字盤
９    アナログ式の手の握力計と木製もしくは樹脂製の台座（アタッチメント）本体を固定するネジ類・ビス類
１０    アナログ式の手の握力計の本体
１１    木製もしくは樹脂製の台座（アタッチメント）本体